【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
低雑音増幅器（ＬＮＡ）において、
上記増幅器によって受信される信号を処理するように設けられた複数のＦＥＴと、
上記ＬＮＡを動作させる電力を入力するように設けられた電力入力と、
モノリシックサポート集積回路（ＩＣ）とを備え、
上記モノリシックサポートＩＣは、
各ＦＥＴのドレイン電流をモニターしかつ制御するように設けられたＦＥＴ制御回路と、
上記電力入力へ供給される電圧信号のＤＣ成分のレベルを検出し、上記検出されるＤＣレベルに従って上記ＦＥＴ制御回路へＦＥＴ選択信号を供給するように設けられたＦＥＴ選択回路とを備え、上記ＦＥＴ制御回路は上記ＦＥＴ選択信号に応答して上記複数のＦＥＴのうちの２つの選択される一方を無効化し、
上記電力入力に接続され、電圧信号から上記電力入力への調整された出力電圧を発生するように適合化される電圧レギュレータ回路と、
上記調整された出力電圧を入力するように接続され、上記調整された出力電圧から負電源電圧を発生し、上記負電源電圧を上記ＦＥＴ制御回路へ供給するように設けられた負電源発生回路とを備え、上記ＦＥＴ制御回路は、上記負電源電圧を用いて上記ＦＥＴへマイナスのゲート駆動電圧を供給するように設けられた低雑音増幅器。
【請求項２】
上記電力入力は信号出力であり、上記ＬＮＡは増幅信号を上記信号出力に接続された装置によって受信するために上記信号出力から出力するように設けられた請求項１記載のＬＮＡ。
【請求項３】
上記信号出力はＲＦ信号出力である請求項２記載のＬＮＡ。
【請求項４】
上記ＦＥＴはＧａＡｓＦＥＴである請求項１乃至３のうちのいずれか１つに記載のＬＮＡ。
【請求項５】
上記ＦＥＴのドレイン電流を調節するための手段をさらに備えた請求項１乃至４のうちのいずれか１つに記載のＬＮＡ。
【請求項６】
上記調節するための手段は抵抗器を備え、上記抵抗器の抵抗は上記ＦＥＴのドレイン電流を決定する請求項５記載のＬＮＡ。
【請求項７】
上記抵抗器は接地とＦＥＴ制御回路との間に接続された請求項６記載のＬＮＡ。
【請求項８】
上記ＦＥＴ制御回路は、各ＦＥＴの上記ドレイン電流、ドレイン電圧、ゲート電流及びゲート電圧を制御するように設けられた請求項１乃至７のうちのいずれか１つに記載のＬＮＡ。
【請求項９】
上記負電源発生器は、上記負電源電圧を上記モノリシックサポートＩＣの外部であって、上記ＬＮＡの少なくとも１つのコンポーネントへ供給するように設けられた、請求項１乃至８のうちのいずれか１つに記載のＬＮＡ。
【請求項１０】
上記電圧レギュレータ回路は、上記モノリシックサポートＩＣの外部であって、上記ＬＮＡのコンポーネントを動作させるために必要な全ての電力を供給するように設けられた、請求項１乃至９のうちのいずれか１つに記載のＬＮＡ。
【請求項１１】
２つの局部発振器をさらに備え、上記モノリシックサポートＩＣはさらに、
上記電力入力へ供給される電圧信号のＡＣ成分を検出し、かつ上記検出されるＡＣ成分に従ってＡＣ成分検出信号を供給するように設けられたＡＣ信号検出回路と、
上記ＡＣ成分検出信号を受信し、上記受信されるＡＣ成分検出信号に従って上記２つの局部発振器の一方を選択的に動作させるように設けられた局部発振器（ＬＯ）制御回路とを備えた請求項１乃至１０のうちのいずれか１つに記載のＬＮＡ。
【請求項１２】
上記局部発振器制御信号は、上記局部発振器への電力供給を選択的に切り換えることにより上記局部発振器を選択的に動作させるように調整される請求項１１記載のＬＮＡ。
【請求項１３】
上記局部発振器は各々がゲート駆動装置の動作を要求するＭＩＭＩＣ発振器であり、上記ＬＯ制御回路は上記ゲート駆動装置を切り換えることによって上記ＬＯを選択的に動作させる請求項１１記載のＬＮＡ。
【請求項１４】
ＬＯ動作の上記選択は、上記ＬＮＡの動作の周波数帯域を決定するように調整される、請求項１１乃至１３のうちのいずれか１つに記載のＬＮＡ。
【請求項１５】
上記ＦＥＴ制御回路は、故障状態の場合に各ＦＥＴの上記ドレイン電流を制限するように設けられた請求項１乃至１４のうちのいずれか１つに記載のＬＮＡ。
【請求項１６】
上記ＦＥＴ制御回路は、故障状態下でドレイン電流の増加を２０％以下に制限するように設けられた請求項１５記載のＬＮＡ。
【請求項１７】
上記故障状態は、ＦＥＴゲートの短絡、ＦＥＴドレインの短絡、他の任意の負荷故障を含むリストから選択される請求項１５又は１６記載のＬＮＡ。
【請求項１８】
上記ＦＥＴは個々の電圧定格を有し、上記ＦＥＴ制御回路は、上記ＦＥＴへゲート駆動電圧を供給しかつ各ゲート駆動電圧を上記個々のＦＥＴの電圧定格内であるべく調整するように設けられた請求項１乃至１７のうちのいずれか１つに記載のＬＮＡ。
【請求項１９】
上記ＦＥＴ選択回路に応答して上記ＦＥＴ制御回路により選択的に無効化される上記２つのＦＥＴは、第１の極性を有する受信信号を処理するように設けられた第１のＦＥＴと、第２の極性を有する受信信号を処理するように設けられた第２のＦＥＴとを備え、これにより上記ＦＥＴ選択回路は、上記第１又は第２のＦＥＴのいずれかを選択的に無効化することによって上記ＬＮＡがどの受信信号極性を増幅するかを制御する請求項１乃至１８のうちのいずれか１つに記載のＬＮＡ。
【請求項２０】
上記ＦＥＴ制御回路は、ドレイン電流を遮断するゲート電圧を上記ＦＥＴを介して印加することにより上記選択されるＦＥＴを無効化するように設けられた請求項１乃至１９のうちのいずれか１つに請求項記載のＬＮＡ。
【請求項２１】
上記ＦＥＴ制御回路は、上記選択されるＦＥＴへのドレイン供給を無効化するようにも設けられた請求項２０記載のＬＮＡ。
【請求項２２】
上記ＦＥＴ制御回路は、そのＦＥＴへのドレイン供給を無効化しかつそのＦＥＴへゲート電圧を印加して上記ＦＥＴを低抵抗状態へ駆動することによって上記選択されるＦＥＴを無効化するように設けられた請求項１乃至１９のうちのいずれか１つに記載のＬＮＡ。
【請求項２３】
上記ＦＥＴ選択回路は、上記ＤＣ成分に加えて上記電力入力へ供給される電圧信号に含まれる干渉信号を除去するための手段を備えた請求項１乃至２２のうちのいずれか１つに記載のＬＮＡ。
【請求項２４】
上記干渉信号を除去するための手段は、フィルタ及び遅延回路の少なくとも一方を備えた請求項２３記載のＬＮＡ。
【請求項２５】
上記ＡＣ信号検出回路は、上記ＡＣ成分に加えて上記電力入力へ供給される電圧信号に含まれる干渉信号を除去するための手段を備えた、請求項１１乃至１４のうちのいずれか１つに記載の請求項、若しくは請求項１１に従属する請求項１５乃至２４のうちのいずれか１つに記載のＬＮＡ。
【請求項２６】
上記ＡＣ信号検出手段の干渉信号を記録するための手段は、フィルタ、レベル検出器、変調検出器及び遅延回路のうちの少なくとも１つを備えた請求項２５記載のＬＮＡ。
【請求項２７】
上記電圧レギュレータ回路は過熱防止手段を備えた請求項１乃至２６のうちのいずれか１つに記載のＬＮＡ。
【請求項２８】
上記電圧レギュレータ回路は過電流防止手段を備えた請求項１乃至２７のうちのいずれか１つに記載のＬＮＡ。
【請求項２９】
上記モノリシックサポートＩＣの外部であって、校正電流を流すように設けられた校正抵抗器を備え、上記ＦＥＴ制御回路は、１対のトランジスタによって少なくとも１つのＦＥＴの上記ドレイン電流をモニターしかつ上記校正電流をモニターするように設けられ、上記１対のトランジスタの一方は上記ドレイン電流を流すように設けられ、もう一方のトランジスタは上記校正電流を流すように設けられた請求項１乃至２８のうちのいずれか１つに記載のＬＮＡ。
【請求項３０】
上記１対のトランジスタは比率化される請求項２９記載のＬＮＡ。
【請求項３１】
上記ＦＥＴ制御回路は、少なくとも２つのＦＥＴに対して独立したドレイン電流及びドレイン電圧制御を供給するように設けられた請求項１乃至３０のうちのいずれか１つに記載のＬＮＡ。
【請求項３２】
混合器として設けられたＦＥＴを備えた請求項１乃至３１のうちのいずれか１つに記載のＬＮＡ。
【請求項３３】
上記ＦＥＴ制御回路は、上記混合器ＦＥＴに対して独立したドレイン電流及びドレイン電圧制御を供給するように設けられた請求項３２記載のＬＮＡ。
【請求項３４】
上記モノリシックサポートＩＣの外部であって、混合器校正電流を流すように設けられた混合器校正抵抗器をさらに備え、上記ＦＥＴ制御回路は上記混合器校正電流をモニターするように適合化される請求項３３記載のＬＮＡ。
【請求項３５】
上記ＦＥＴ制御回路は、上記混合器のＦＥＴドレイン電流及び上記混合器の校正電流を、個々の電流を流すように設けられた１対のトランジスタによってモニターするように設けられた請求項３４記載のＬＮＡ。
【請求項３６】
第１、第２、第３及び第４のＦＥＴを備え、上記ＦＥＴ制御回路は上記検出されるＤＣレベルに従って上記第１及び第２のＦＥＴを選択的に無効化するように設けられ、上記第４のＦＥＴは混合器構成内に設けられた請求項１乃至３５のうちのいずれか１つに記載のＬＮＡ。
【請求項３７】
上記第３のＦＥＴは増幅器構成内に設けられた請求項３６記載のＬＮＡ。
【請求項３８】
請求項１乃至３７のうちのいずれか１つに記載のＬＮＡのためのモノリシックサポート集積回路。
【手続補正２】
【補正対象書類名】明細書
【補正対象項目名】００２６
【補正方法】変更
【補正の内容】
【００２６】
ＡＣ信号検出手段のこの干渉信号を除去するための手段は、フィルタ、レベル検出器、変調検出器及び遅延回路のうちの少なくとも１つを備えてもよい。